(57)【要約】【課題】利用者に合わせた明るさを確保することができる照明器具および照明装置を得る。【解決手段】発明に係る照明器具は、机に設置される照明器具であって、発光により机を照射する発光部を有する光源ユニットを有する光源部と、机に立てられて設置され、机に設置された端部とは反対側の端部に光源部が取り付けられた複数の柱部を有する本体部と、光源ユニットの操作指示が入力される操作ユニットを有する操作部とを備えるものである。【選択図】図２
2020107393.tif 000002
【特許請求の範囲】
【請求項１】
机に設置される照明器具であって、
発光により前記机を照射する発光部を有する光源ユニットを有する光源部と、
前記机に立てられて設置され、前記机に設置された端部とは反対側の端部に前記光源部が取り付けられた複数の柱部を有する本体部と、
前記光源ユニットの操作指示が入力される操作ユニットを有する操作部と
を備える照明器具。
【請求項２】
前記光源部は、ブラケットを有し、
前記ブラケットは、前記柱部が延びる方向と交差して一端が前記柱部に取り付けられ、他端には、前記光源ユニットが前記柱部よりも前記机を利用する利用者側に位置するように設置される請求項１に記載の照明器具。
【請求項３】
前記操作部は、隣り合う２つの前記柱部の間に設置され、前記柱部間の一部を遮蔽する壁部を有し、
前記操作ユニットは、前記机を利用する利用者から見て、前記壁部の右側に取り付けられる請求項１または請求項２に記載の照明器具。
【請求項４】
請求項１〜請求項３のいずれか一項に記載の照明器具の光源ユニットおよび操作ユニットを、机における複数の作業面に対応して、複数有する照明装置。
【請求項５】
それぞれの前記光源ユニットにそれぞれ電力を供給する電源ユニットと、
それぞれの前記操作ユニットに入力される操作指示に基づいて、前記操作ユニットに対応する前記光源ユニットに、前記電源ユニットから供給する前記電力を制御する制御ユニットと
を有する電源部を備える請求項４に記載の照明装置。
【発明の詳細な説明】
【技術分野】
【０００１】
この発明は、照明器具および照明装置に関するものである。特に机上に設置されるものである。
【背景技術】
【０００２】
近年、オフィスのレイアウトでは、利用者ひとりひとりの座席を特定せずに、空いている席を自由に使用するレイアウトが採用されていることがある。このレイアウトは、フリーアドレス、シェアードオフィスまたはノンテリトリアルオフィスなどと呼ばれている。このレイアウトに使われる机は、たとえば、向かい合った状態で複数の利用者が座れる机が用いられており、作業面を均等に照射できるように、机の中央に照明器具が配置されている（たとえば、特許文献１参照）。
【先行技術文献】
【特許文献】
【０００３】
【特許文献１】特開２０１０−０１７４８８号公報
【発明の概要】
【発明が解決しようとする課題】
【０００４】
前述した特許文献１の照明器具は、机の中央に配置され、複数の利用者で共有され、照明は一括管理される。たとえば、机に座る各利用者によって作業が異なると、各利用者において必要とする照明の明るさが異なることが考えられる。しかしながら、照明器具が一括管理されていると、利用者によっては必要とする照明環境を得ることができなくなる。
【０００５】
そこで、この発明は、前述した課題を解決するため、利用者に合わせて明るさを確保することができる照明器具および照明装置を得ることを目的とする。
【課題を解決するための手段】
【０００６】
この発明に係る照明器具は、机に設置される照明器具であって、発光により机を照射する発光部を有する光源ユニットを有する光源部と、机に立てられて設置され、机に設置された端部とは反対側の端部に光源部が取り付けられた複数の柱部を有する本体部と、光源ユニットの操作指示が入力される操作ユニットを有する操作部とを備えるものである。
【０００７】
また、この発明に係る照明装置は、上述した照明器具の光源ユニットおよび操作ユニットを、机における複数の作業面に対応して、複数有するものである。
【発明の効果】
【０００８】
この発明の照明器具および照明装置によれば、利用者に対応して光源ユニットおよび操作ユニットを備えることで、利用者が必要とする照明環境を確保することができる。
【図面の簡単な説明】
【０００９】
【図１】この発明の実施の形態１に係る机に設置した照明装置１０００の構成を説明する図である。
【図２】この発明の実施の形態１に係る照明器具１を有する照明装置１０００の構成を示す三面図である。
【図３】この発明の実施の形態１に係る光源部１００の構成を説明する図である。
【図４】この発明の実施の形態１に係る照明器具１と利用者との関係を説明する図である。
【発明を実施するための形態】
【００１０】
実施の形態１．
図１は、この発明の実施の形態１に係る机に設置した照明装置１０００の構成を説明する図である。また、図２は、この発明の実施の形態１に係る照明器具１を有する照明装置１０００の構成を示す三面図である。図１および図２に示すように、机は、複数の利用者が作業に利用することができる構成である。このため、図２に示すように、机は、複数の作業面Ｘに分かれている。実施の形態１においては、机は、利用者は、１列に３人並んで座り、２列が向かい合う構成とする。したがって、６人の利用者が、机を利用することができる。そして、図２に示すように、机は、利用者の座る位置に合わせて、６つの作業面Ｘを有する。それぞれの作業面Ｘに対応して、照明器具１が設置されている。各列の照明器具１は、隣接して配置されている。実施の形態１における照明装置１０００は、６台の照明器具１を有する。実施の形態１の照明器具１は、複数の光源部１００、本体部２００、複数の操作部３００および電源部４００を備える。ここで、本体部２００、複数の操作部３００および電源部４００の一部の機器は、照明装置１０００が有する複数の照明器具１において共通して用いられる。
【００１１】
図３は、この発明の実施の形態１に係る光源部１００の構成を説明する図である。光源部１００は、光源ユニット１１０と、光源ユニット１１０を本体部２００に取り付けするブラケット１２０とを備える。光源ユニット１１０は、フレーム１１１、発光部１１２および透光カバー１１３を有する。フレーム１１１は、一面が開口した長尺の箱形状である。このため、フレーム１１１は、断面がコの字形状となっている。フレーム１１１の開口部分は、机の作業面Ｘと対向している。フレーム１１１の底面１１１ａには、発光部１１２が設置され、フレーム１１１の凹部の空間に収容される。また、フレーム１１１は、側面１１１ｂに、ブラケット１２０が取り付けられる溝部１１１ｃが形成されている。発光部１１２は、机の作業面Ｘなどに向けて光を照射する発光素子（図示せず）を有する。透光カバー１１３は、フレーム１１１の開口部分を塞ぐように取り付けられる。ここで、光源ユニット１１０において、透光カバー１１３が、レンズ機能を持つ部分を有していてもよい。レンズ機能を有する部分を透過した発光部１１２の光が、利用者の手元を照射するように制御することで、利用者へのグレアを抑制することができる。
【００１２】
ブラケット１２０は、光源ユニット１１０を本体部２００に固定する。ブラケット１２０は、光源ユニット１１０の長手方向における両端側に、それぞれ設けられている。ブラケット１２０は、円筒部１２１と、円筒部１２１の一端側に設けられ、光源ユニット１１０と接続する光源側板部１２２と、円筒部１２１の他端側に設けられ、本体部２００と接続する本体側板部１２３とを有する。ブラケット１２０は、円筒部１２１が後述する本体部２００の柱部２１０と交差するように、本体側板部１２３が柱部２１０にネジ止めされるなどして接続される。ここでは、円筒部１２１が、柱部２１０と垂直に交差するように接続される。ここで、実施の形態１では、ブラケット１２０と柱部２１０とは別体で構成しているが、一体としてもよい。
【００１３】
円筒部１２１は、内部に空間を有する。光源側板部１２２および本体側板部１２３には、それぞれ、円筒部１２１の内部の空間と外部の空間とを連通させる開口部を有する。このため、円筒部１２１を介して、本体部２００側から光源ユニット１１０へ電線を引き込むことができる。
【００１４】
円筒部１２１の長さについては、特に規定するものではない。ただし、後述する図４に示すように、机の利用者に対する光源ユニット１１０の位置が、机上に設置されたモニターよりも、利用者側（机端部側）になるような円筒部１２１の長さになることが望ましい。円筒部１２１の長さによって、光源ユニット１１０の位置がモニターよりも手前に位置することで、光源ユニット１１０からの光が、モニターにより遮られるのを抑制することができる。
【００１５】
本体部２００は、柱部２１０を有する。柱部２１０は角筒状であり、内部に空間を有する。柱部２１０は、机の長さおよび机において区切られる作業領域の数に応じて、机から突出して複数設けられる。少なくとも机の両端部分には、それぞれ柱部２１０が設置される。柱部２１０は、隣接および対向する照明器具１で共有される。そして、柱部２１０において、机と反対側の端部に、前述した光源部１００が取り付けられる。
【００１６】
柱部２１０は、光源部１００のブラケット１２０と接続された状態で、本体側板部１２３の開口部を介して、円筒部１２１内部の空間と柱部２１０の内部の空間とが連通するように、本体側板部１２３の開口部に合わせた開口部を有する。そして、机の下側に設けられた電源部４００から電源電線が引き込まれる。このため、柱部２１０の内部は、光源ユニット１１０、操作ユニット３１０および電源部４００を互いに電気的に接続する電線が収容される。ここで、机に複数の照明器具１が設置される場合には、複数の照明器具１において共通して柱部２１０を用いてもよい。
【００１７】
操作部３００は、操作ユニット３１０と、操作ユニット３１０が取り付けられる壁部３２０とを有する。操作ユニット３１０は、利用者が入力する操作指示、設定などのデータを、信号として、後述する制御ユニット４２０に送信する。操作ユニット３１０は、前述したように、電源部４００と電線により電気的に接続する。操作ユニット３１０は、利用者が入力する操作指示または設定などを、信号として電線を介して、電源部４００の制御ユニット４２０に送る。たとえば、操作ユニット３１０は、電源ユニット４１０が光源ユニット１１０に供給する電力を制御する信号などを制御ユニット４２０に送る。操作ユニット３１０は、複数のボタン３１１を有する。図２では、Ａボタン３１１ａおよびＢボタン３１１ｂを有する。それぞれのボタン３１１は、利用者に押下されると、電源部４００の制御ユニット４２０へ、光源ユニット１１０の照射の指示に関する信号を送る。たとえば、Ａボタン３１１ａは、光源ユニット１１０が照射する光の色温度を高くする信号を送る。また、Ｂボタン３１１ｂは、光の色温度を低くする信号を送る。また、調色だけでなく、調光および発光ＯＮまたはＯＦＦなどを指示する信号を送る。
【００１８】
壁部３２０は、隣り合う２つの柱部２１０の間にわたって設置され、柱部２１０間の空間を一部遮蔽する。壁部３２０は、内部に空間を有する直方体形状で構成されている。このため、壁部３２０は、２つの柱部２１０を接続し、柱部２１０間を支える梁として機能する構造部材となる。壁部３２０は、隣接および対向する照明器具１で共有される。また、壁部３２０は、操作ユニット３１０が取り付けられる開口が設けられている。そして、壁部３２０の内部空間に、操作ユニット３１０と後述する制御ユニット４２０とを通信接続する信号線（図示せず）が通される。
【００１９】
図４は、この発明の実施の形態１に係る照明器具１と利用者との関係を説明する図である。前述したように、実施の形態１における壁部３２０は、柱部２１０間における空間を遮蔽する。このとき、高さ方向において、壁部３２０の上端と柱部２１０の上側端部との間および机上面と壁部３２０の下端との間に空間ができるような位置にするように、壁部３２０を設置する。そして、さらに、図４（ａ）および図４（ｂ）に示すように、壁部３２０は、少なくとも対向する利用者の視線Ａおよび目線並びに対向する側の光源ユニット１１０の直射光を遮る位置に、壁部３２０の一部または全部が位置するように設置される。たとえば、机から利用者の頭までの距離を約５００ｍｍと設定し、机から約４００ｍｍの高さを中心として、上下方向に一定距離分の位置に壁部３２０の上端と下端とを位置させるようにする。ここで、特に限定するものではないが、操作ユニット３１０の大きさに合わせて、壁部３２０の上端と下端とを決めてもよい。
【００２０】
このように、壁部３２０が、柱部２１０間の一部を遮断することで、対向する位置に座る利用者同士のコミュニケーションを遮断することなく、対向側の環境（図４に示す視線Ａおよび照明環境）から受ける影響を抑制することができる。したがって、利用者が集中できる環境とコミュニケーションをとり易い環境とを両立することができる。
【００２１】
また、利用者側から見て、壁部３２０の右手側に操作ユニット３１０が配設されている。したがって、操作ユニット３１０は、利用者の利き手が右手の場合には、操作がし易い位置に配設されている。
【００２２】
電源部４００は、電源ユニット４１０、制御ユニット４２０および収容部４３０を備える。電源ユニット４１０および制御ユニット４２０は、机下の収容部４３０に収容される。電源ユニット４１０は、商用電源（図示せず）から供給された電力を変換するなどして、光源部１００などに供給し、光源ユニット１１０を点灯させる。制御ユニット４２０は、操作ユニット３１０から送られる信号に基づいて、電源ユニット４１０から光源ユニット１１０に供給する電力の制御を行う。実施の形態１においては、電源ユニット４１０は、複数の光源ユニット１１０に電力供給を行う。そして、制御ユニット４２０は、各光源ユニット１１０に供給する電力を制御する。したがって、電源部４００は、机に複数の照明器具１が設置される場合には、複数の照明器具１において共通して用いられる装置となる。
【００２３】
以上のように、実施の形態１の照明装置１０００によれば、複数の照明器具１を有する。そして、複数の光源ユニット１１０と各光源ユニット１１０に対応して、発光に係る操作指示を行う操作ユニット３１０とを有する。そして、制御ユニット４２０は、操作ユニット３１０から送られる信号に基づいて、各光源ユニット１１０に供給する電力を制御する。このため、実施の形態１の照明装置１０００においては、机に座る利用者毎に光環境を設定することができ、利用者に必要な照度をそれぞれ確保することができる。
【００２４】
また、実施の形態１の照明装置１０００は、光源ユニット１１０を有する光源部１００を支える柱部２１０の間に一部を遮蔽した壁部３２０を有する。このため、対向する座席の利用者の視線Ａおよび対向する座席の光源ユニット１１０からの直接光を抑制することができる。そして、フリーアドレスレイアウト特有の効果であるコミュニケーションを確保することができる。
【００２５】
また、実施の形態１の照明装置１０００は、光源ユニット１１０が、作業面Ｘに設置されるモニターの位置よりも利用者側に位置するように、ブラケット１２０の長さを規定する。このため、光源ユニット１１０の発光部１１２からの光が、利用者の手元を照射するようにし、また、モニターへの光の映り込みなどを抑制することができる。
【００２６】
実施の形態２．
前述した実施の形態１の照明装置１０００において、操作ユニット３１０は、ボタン３１１を有するものとして説明を行ったが、これに限定するものではない。たとえば、液晶表示装置とタッチパネルとを有し、液晶式でもよい。また、操作ユニット３１０と制御ユニット４２０との通信を電線を用いて行ったが、無線で接続するようにしてもよい。
【符号の説明】
【００２７】
１  照明器具、１００  光源部、１１０  光源ユニット、１１１  フレーム、１１１ａ  底面、１１１ｂ  側面、１１１ｃ  溝部、１１２  発光部、１１３  透光カバー、１２０  ブラケット、１２１  円筒部、１２２  光源側板部、１２３  本体側板部、２００  本体部、２１０  柱部、３００  操作部、３１０  操作ユニット、３１１  ボタン、３１１ａ  Ａボタン、３１１ｂ  Ｂボタン、３２０  壁部、４００  電源部、４１０  電源ユニット、４２０  制御ユニット、４３０  収容部、１０００  照明装置。
【図１】
2020107393.tif 000003
【図２】
2020107393.tif 000004
【図３】
2020107393.tif 000005
【図４】
2020107393.tif 000006